(57)【要約】  本発明は、血管用フィルタ（１）、特に大静脈フィルタであって、血管壁にフィルタを係留するための少なくとも２つの係留分岐（１１）を含み、係留分岐は固定端（１１１）および自由端（１１２）を有し、係留分岐の固定端は互いに固定され、自由端は外側に向けられたフック（１１３）で終端し、係留分岐の各々は貫通防止保護体（１１４）を備えることを特徴とする、血管のためのフィルタ（１）、特に大静脈フィルタに関する。
2021531053.tif 000002
【特許請求の範囲】
【請求項１】
血管フィルタ（１）、特に大静脈フィルタであって、
血管壁に当該フィルタを係留するための少なくとも２つの係留分岐（１１）を含み、
前記係留分岐は、固定端（１１１）および自由端（１１２）を含み、
前記係留分岐の前記固定端は互いに固定され且つ前記自由端は外側に向けられたフック（１１３）で終端し、
前記係留分岐の各々は、貫通防止保護体（１１４）を備えることを特徴とする、血管フィルタ（１）。
【請求項２】
前記貫通防止保護体は、前記フックに近接して前記係留分岐上に形成されたループ、ジグザグまたは起伏である、請求項１に記載の血管フィルタ。
【請求項３】
前記貫通防止保護体は９９０〜１２１０μｍの等価直径を有するループである、請求項２に記載の血管フィルタ。
【請求項４】
少なくとも２つの係留分岐は異なる長さを有する、請求項１〜３のいずれか１項に記載の血管フィルタ。
【請求項５】
各々が固定端と自由端とを含む３つの短いセンタリング分岐（１２）をさらに含み、
前記固定端は前記係留分岐の前記固定端に固定され、且つ
前記自由端は非外傷性である、請求項１〜４のいずれか１項に記載の血管フィルタ。
【請求項６】
前記３つの短いセンタリング分岐は前記係留分岐よりも短い、請求項５に記載の血管フィルタ。
【請求項７】
前記非外傷性自由端は内側に向けられたフック（１２１）を有する、請求項５または６に記載の血管フィルタ。
【請求項８】
前記短いセンタリング分岐は等しい長さまたは異なる長さを有している、請求項１〜７のいずれか１項に記載の血管フィルタ。
【請求項９】
各々が固定端および自由端を有し、当該固定端が前記係留分岐の前記固定端に固定されている３つの長いセンタリング分岐（１３）をさらに備える、請求項１〜８のいずれか１項に記載の血管フィルタ。
【請求項１０】
前記３つの長いセンタリング分岐は前記係留分岐よりも長い、請求項９に記載の血管フィルタ。
【請求項１１】
固定端と自由端とを有する接触分岐をさらに備え、
当該固定端は前記係留分岐の前記固定端に固定され、且つ
前記自由端は停止部を備える、請求項１〜１０のいずれか１項に記載の血管フィルタ。
【請求項１２】
前記長いセンタリング分岐（１３）のうちの１つの前記自由端は、停止部（１３１）を備える、請求項１０に記載の血管フィルタ。
【請求項１３】
前記停止部は、対応する分岐から形成されたループである、請求項１１または１２に記載の血管フィルタ。
【請求項１４】
全体的にステンレス鋼製、特にＩＮＯＸ  ３１６  ＬＶＭ製である、請求項１〜１３のいずれか１項に記載の血管フィルタ。 
【発明の詳細な説明】
【発明の詳細な説明】
【０００１】
〔技術分野〕
本発明は医療装置の技術分野に関し、より詳細には、血管用フィルタおよび特に大静脈フィルタに関する。
【０００２】
〔従来技術〕
移動性深部静脈血栓症の時おりの致命的な結果を防止するために、フィルタを大静脈の内側、特にその下部に配置することができる。これは、これらの血栓が一般的に下肢の静脈壁に形成されてから、裂けて下大静脈を通って心臓に向かって上がってくるためである。血栓が肺に達すると、それらは肺動脈を塞いで肺塞栓症を引き起こし、致命的になることがある。
【０００３】
大静脈フィルタは、血栓が肺に到達する前に、その前進を停止させる障害物を作り出すことによって、血栓を停止させることを可能にする。
【０００４】
大静脈フィルタの一例は、傘型の大静脈フィルタである。このタイプのフィルタは一般に、各々が固定端と自由端とを含む分岐を備える。分岐の固定端は、特に丸みを帯びた端部を備えた概して円筒形の形状の基部に圧着することによって、互いに固定される。係留分岐と呼ばれる分岐は、したがって、傘のリブのように互いに離れるように移動しながら基部から延びる。このように、係留分岐は、円錐またはタマネギ型ドームの形状を有する外側エンベロープをフィルタに与える。言い換えれば、このエンベロープは、この軸と交差している直線または軸に近い点で生じ且つそこから離れるように移動しながら延びる曲線の軸の周りの回転によって形成される。
【０００５】
効果的であるために、傘型のこれらの大静脈フィルタは、大静脈壁に係留されなければならない。この目的のために、自由端は、外側に向けられたフックで終端する。これらのフックは、フィルタの位置を固定するために、大静脈壁に係留される。
【０００６】
残念ながら、場合によっては、係留分岐は大静脈壁を貫通し、隣接する器官に損傷を引き起こし、これは内出血を引き起こすことがあり、これは患者にとって深刻な結果をもたらすことがある。特に、遡及的レビュー、J Vase Interv Radiol 2012; 23:1557-1563における“Retrospective Review of 120 Celect Inferior Vena Cava Filter Retrievals: Experience at a Single Institution”において、Ｚｈｏｕ  Ｄ．Ｙ．および彼のチームは、フィルタが抜去され且つ前後方向撮影による大静脈造影図が利用可能であった１１５名の患者において８６．１％の貫通率が、フィルタが抜去され且つトモデンシトメトリーイメージが利用可能であった３８名の患者において６５．８％の貫通率を観察することができ、これはフィルタが留置された部位に隣接する器官に貫通が到達していた９名を含んだ。著者らは、これらの数値はフィルタが設置され且つフィルタが抜去されなかった患者を考慮に入れていないが、使用したフィルタは、フィルタが下大静脈内に残存した期間と相関した高い貫通率を有していたと結論付けた。
【０００７】
さらに、これらの傘型大静脈フィルタは、大静脈の局所軸に関して正確に位置合わせされることが重要であり、すなわち、これらの傘型大静脈フィルタのエンベロープの回転軸の方向は、大静脈の局所軸の方向とあまり異なっていてはならない。フィルタの傾きがある度合いを超えると、フィルタの有効度が低下することがある。
【０００８】
例えば、Gunther Tulipフィルタの研究：“Analysis of Tilt of the Gunther Tulip Filter” J Vasc Interv Radiol 2008; 19:669-676において、Ｓａｇ  Ａ．Ａ．および彼のチームは、フィルタが抜去された１７５名のうち１５９名の患者が、平均傾斜度が７．１°±５．８であるフィルタの傾きを示したことを観察した。
【０００９】
〔発明の提示〕
したがって、本発明の目的の１つは、上述の従来技術のフィルタの欠点の内の少なくとも１つを克服することである。
【００１０】
この目的のために、本発明は、血管壁にフィルタを係留するための少なくとも２つの係留分岐を含み、当該係留分岐は固定端および自由端を含み、係留分岐の固定端は互いに固定され且つ自由端は外側に向けられたフックで終端し、各係留分岐は貫通防止保護体を備える、血管フィルタ、および特に大静脈フィルタを提供する。
【００１１】
貫通防止保護体のおかげで、フィルタが配置される血管壁のいかなる穿孔も回避される。
【００１２】
フィルタの他の任意選択的且つ非限定的な特徴を以下に提示する。
【００１３】
貫通防止保護体は、フックに近接して係留分岐上に形成された、ループ、ジグザグまたは起伏であってもよい。貫通防止保護体は、９９０〜１２１０μｍの等価直径を有するループであってもよい。
【００１４】
少なくとも２つの係留分岐は、異なる長さを有していてもよい。
【００１５】
フィルタは、３つの短いセンタリング分岐をさらに備えてもよく、各分岐は固定端および自由端を備え、当該固定端は係留分岐の固定端に固定され、自由端は非外傷性である。３つの短いセンタリング分岐は、係留分岐よりも短くてもよい。非外傷性自由端は、内側に向けられたフックを有していてもよい。短いセンタリング分岐は、等しい長さまたは異なる長さであってもよい。
【００１６】
フィルタは、３つの長いセンタリング分岐をさらに備えてもよく、各分岐は固定端および自由端を備え、当該固定端は係留分岐の固定端に固定される。３つの長いセンタリング分岐は、係留分岐よりも長くてもよい。
【００１７】
フィルタはまた、固定端と自由端とを有する接触分岐を備えてもよい。前記固定端は係留分岐の固定端に固定され、且つ前記自由端は停止部を含む。停止部は、接触分岐から形成されたループであってもよい。
【００１８】
長いセンタリング分岐のうちの１つの自由端が停止部を備えてもよい。停止部は、長いセンタリング分岐から形成されたループであってもよい。
【００１９】
フィルタは、全体的にステンレス鋼製、特にＩＮＯＸ  ３１６  ＬＶＭ製であってもよい。
【００２０】
本発明はまた、フィルタを血管壁に係留するための少なくとも２つの係留分岐を備え、当該係留分岐は固定端と自由端とを備え、当該係留分岐の固定端は互いに固定され且つ外側に向けられたフックで終端しており、当該係留分岐よりも短い３つのセンタリング分岐を備え、各々は固定端と自由端とを備え、固定端は係留分岐の固定端に固定され、自由端は非外傷性である、血管フィルタ、および特に大静脈フィルタを提供する。
【００２１】
これらのセンタリング分岐は、係留分岐よりも短いので、その理想的な位置に関するフィルタの傾斜は限定され得る。
【００２２】
〔図面〕
他の目的、特徴および利点は、非限定的に与えられた図面を参照して、一例として、以下の例示的な説明を読むことから明らかになるであろう：
図１は、本発明によるフィルタの一例の４分の３の説明図である；
図２〜図５は、図１のフィルタの貫通防止保護体の例の拡大図である；
図６は、図１のフィルタをカテーテル内に挿入するためのアダプタの図である。
【００２３】
〔説明〕
本発明による傘型の血管フィルタ、特に大静脈フィルタを、図１〜図５を参照して以下に説明する。
【００２４】
傘型フィルタ１は複数の分岐１１、１２、１３を含むフィルタを意味し、各分岐は固定端と自由端とを有する。分岐の固定端は、形状が概して球、紡錘、円形基部を備えた円筒、ノーズコーン等である部材１５の手段によって互いに固定されており、エッジは優先的に丸められている。固定は通常、レーザー溶接を伴うかまたはレーザー溶接を伴わない圧着によって行われる。分岐１１、１２、１３は、固定点から始まって、互いに徐々にさらに離れていく。分岐１１、１２、１３の各々は通常、円形断面を有する。分岐１１、１２、１３は互いに独立して延在しており、直線、凸状線、凹状線、凹状の固定端に近い第１の部分と凸状の自由端に近い第２の部分とを備えた変曲点を有する線、凸状の自由端に近い第１の部分と凹状の自由端に近い第２の部分とを有する変曲点を有する線等を形成してもよい。線の凹所は、分岐によって形成されたオープンスペース、すなわち傘の内側に位置する観点から考慮される。フィルタは通常、長手方向軸を備える。長手方向軸は、分岐の延在軸の平均であり、分岐の延在軸は、その端部同士をつなぐ軸である。したがって、好ましくは、分岐によって形成された線上の２つの点が考慮される場合、固定端に近い点は自由端に近い点よりも長手方向軸から遠く離れていない。好ましくは、任意の分岐は、フィルタの長手方向軸と有利に交差する平面内に適合する線に追随することができる。分岐の形状についての上記の説明は、フックおよび貫通防止保護体、特に以下に説明する保護体を考慮に入れていない。
【００２５】
本発明のフィルタ１は、血管壁にフィルタ１を係留するための少なくとも２個の係留分岐１１（例えば、２個、３個、４個、５個、６個、７個、８個、９個、１０個の係留分岐）を含み、係留分岐１１は、固定端１１１および自由端１１２を含む。本発明のフィルタ１は、好ましくは、少なくとも３個、少なくとも４個、少なくとも５個、少なくとも６個、少なくとも７個、少なくとも８個、少なくとも９個または少なくとも１０個の係留分岐１１を含む。
【００２６】
係留分岐の固定端１１１は、部材１５の手段によって互いに固定され、そして自由端１１２はフィルタ１を血管壁に係留することができるように、フィルタの外側に向けられたフック１１３で終端する。有利には、フック１１３は、４００〜１１００μｍ、好ましくは７５０〜９５０μｍの等価直径を有する。本開示において、フックの「等価直径」という用語は、フックが、その端部から最初の極小曲率半径までにおいて内接可能な最小円の直径を意味しており、後者はゼロであり得る。
【００２７】
係留分岐１１の各々はさらに、貫通防止保護体１１４を含む。貫通防止保護体１１４は、フック１１３に近接して係留分岐自体によって形成されたループを含んでいてもよい（図１および図２参照）。本明細書において、用語「ループ」は、フックに近接してそれ自体で閉じる曲線を描く分岐によって採用された形態を示すものとして理解されるべきである。曲線がそれ自体で閉じる点において、分岐の２つの部分は接触していても接触していなくてもよく、好ましくは、それらは接触している。
【００２８】
ループは、有利には、９９０〜１２１０μｍ、好ましくは１１００μｍ〜１１５０μｍの等価直径を有する。本開示において、ループの「等価直径」という用語は、最大の内側面積を有する平面上へのループの投影を内接させることができる最小の円の直径を示す。好ましくは、最大の内側面積を有する平面上へのループの投影の形状は、円である。
【００２９】
２つの異なる分岐のループは、異なる直径であってもよい。あるいは、それらは同じ直径を有していてもよい。好ましくは、全ての分岐のループは、±１０％の公差で同じ直径を有する。さらに好ましくは、全ての分岐のループは円である。
【００３０】
２つの異なる分岐のループは、異なる形状を有していてもよい。あるいは、それらは同じ形状を有していてもよい。
【００３１】
ループの数は例えば、少なくとも２つ、少なくとも３つ、または少なくとも４つに増加させてもよい。１つよりも多いループが存在する場合、ループは、互いに隣接するか、または他のループと完全にもしくは部分的に重なるかのいずれかで配置されてもよい。この場合、上記の可能性とは別に、同じ分岐の全てのループは、異なる直径を有していてもよい。あるいは、それらは同じ直径を有していてもよい。好ましくは、全ての分岐のねじれは、±１０％の公差で同じ直径を有する。さらに好ましくは、全ての分岐のループは円である。さらに、それらは異なる形態を有していてもよい。あるいは、それらは同じ形態を有していてもよい。
【００３２】
貫通防止保護体の他の形状、例えば以下の形状も可能である：
−  ジグザグ（鋸歯）形状、特に１周期、２周期、３周期またはそれより多い周期を有し、および／または頂点の角度は３０°〜９０°、例えば４０°、４５°、５０°、６０°、７０°、８０°であり、および／または頂点間の幅は有利に９９０〜１２１０μｍ、好ましくは１１００μｍ〜１１５０μｍである（図３および図４）、並びに
−  波形（起伏）、特に１周期、２周期、３周期またはそれより多い周期を有し、および／または頂点間の幅は有利に９９０〜１２１０μｍ、好ましくは１１００μｍ〜１１５０μｍであり、および／または１〜５ｍｍの周期長である（図５参照）。
【００３３】
これらの形状は、フックに近接してねじれのように配置される。
【００３４】
少なくとも２つの係留分岐１１は、異なる長さを有していてもよい。これにより、フィルタが以下に説明するように展開されるときに、そのフックが互いに引っ掛かることを回避することが可能になる。好ましくは、係留分岐は互いに異なる長さを有する。
【００３５】
各係留分岐１１が描く線は、上述した形状のうちの１つを有していてもよい。好ましくは、係留分岐１１が描く線は凸状である。
【００３６】
フィルタはまた、少なくとも３個の短いセンタリング分岐１２（例えば、３個、４個、５個、６個の短いセンタリング分岐）を含んでもよい。それぞれの短いセンタリング分岐１２が描く線は、上述した形状のうちの１つを有していてもよい。好ましくは、短いセンタリング分岐１２が描く線は凸状である。短いセンタリング分岐１２は、好ましくは係留分岐１１よりも短い。好ましくは、３５％〜５５％、さらに好ましくは４０％〜５０％、さらに好ましくは約４５％、最も短い係留分岐よりも短い。短いセンタリング分岐１２は、異なる長さであっても等しい長さであってもよい。好ましくは、それらは等しい長さである。
【００３７】
それぞれの短いセンタリング分岐１２は固定端および自由端を有し、固定端は、特にピース１５によって係留分岐の固定端に固定され、そして自由端は非外傷性である。
【００３８】
自由端の非外傷性は、特に短いセンタリング分岐１２の線が凸状であるときに、内側に向けられた短いフック１２１によって付与することができる。したがって、フックおいて分岐によって形成される曲線は、フィルタが所定の位置にあるときに血管壁に向けられ、それを傷つけることを回避する。有利には、フック１２１は、１５００〜１８５０μｍ、好ましくは１６５０〜１７５０μｍの等価直径を有する。
【００３９】
変形例として、自由端の非外傷性の特徴は、短いセンタリング分岐１２の線によって付与されてもよく、その結果、方向点の変化と、フィルタの長手方向軸と実質的に同一直線上にある自由端から始まる部分とを有する。
【００４０】
フィルタはまた、少なくとも３つの長いセンタリング分岐１３、好ましくは少なくとも４つ、少なくとも５つを含んでもよい。修飾語句「長い」は、短いセンタリング分岐１２の修飾語句「短い」と比較されるべきである。好ましくは、３つの長いセンタリング分岐１３は、係留分岐よりも長い（図１において、長いセンタリング分岐の１つは、遠近法のために、より短く見える）。好ましくは、２０％〜３５％、さらに好ましくは２５％〜３０％、さらに好ましくは約２７％、最も長い係留分岐１１よりも長い。長いセンタリング分岐１３は、異なる長さまたは等しい長さを有していてもよい。好ましくは、それらは、特にそれらがフィルタの内側に向けられたフックで終端するとき、等しい長さを有する。
【００４１】
長いセンタリング分岐１３の各々は、固定端と自由端とを有し、固定端は、特に部材１５を介して、係留分岐１１の固定端に固定されている。
【００４２】
各々の長いセンタリング分岐１３が描く線は、上述した形状のうちの１つを有していてもよい。好ましくは、長いセンタリング分岐１３が描く線は屈曲点を有し、固定端と屈曲点との間の凸部と屈曲点と自由端との間の凹部とを備えている。
【００４３】
有利には、長いセンタリング分岐１３の少なくとも１つの自由端は、停止部１３１を含む。停止部１３１は、フィルタ１が血管内に配置されたときに、フィルタ１を特に大腿部に押し込むことを可能にする。あるいはフィルタ１はまた、固定端と自由端とを有する接触分岐を備え、固定端は特に部材１５を介して係留分岐１１の固定端に固定され、且つ自由端は停止部を備える。両方の場合において、停止部１３１は、例えば、対応する分岐によって形成されるループであってもよい。好ましくは、停止部を形成するループは、１７００μｍ〜２２００μｍの等価直径を有する。
【００４４】
長いセンタリング分岐１３と短いセンタリング分岐１２との組み合わせは、フィルタ１が配置される血管の局所軸に対するその軸の傾きを制限または防止しながら、血管壁に対してフィルタを中央に置くことを可能にする。
【００４５】
フィルタの全ての分岐１１、１２、１３は、有利には０．２５０〜０．３５０ｍｍ、好ましくは０．２９〜０．３１ｍｍ、さらに好ましくは０．２９５〜０．３０５ｍｍの等価直径を有する断面を有する。本開示において、分岐の断面の「等価直径」という用語は、分岐の断面を内接させることができる最小円の直径を示す。好ましくは、フィルタの各分岐は、その全長にわたって同じ等価直径を有する断面を有する。さらに好ましくは、フィルタの全ての分岐は、同じ等価直径を有する断面を有する。有利には、分岐の断面は円盤状である。
【００４６】
好ましくは、フィルタ１全体は、ステンレス鋼製、好ましくはＩＮＯＸ  ３１６  ＬＶＭ製である。
【００４７】
好ましくは、フィルタ１は、４．５〜６．５ｃｍ、さらに好ましくは５〜６ｃｍ、例えば約５．５ｃｍの長手方向の長さを有する。フィルタの分岐のスパン、すなわち、フィルタの長手方向軸上に中心が位置合わせされ、そしてフィルタの長手方向軸に垂直な平面上で且つそれと同一直線上への分岐のすべての投影を包含する最小円の直径は、好ましくは４〜６ｃｍ、さらに好ましくは４．５〜５．５ｃｍ、例えば約５ｃｍである。
【００４８】
上記の説明は、その外部の別の要素によって制約されない場合のフィルタに対応する。
【００４９】
それが血管内に挿入されるとき、フィルタの分岐１１、１２、１３は、まず、例えばアダプタ２の手段によって折り畳まれる。このようなアダプタ２の例（図６）は、その頂点で切り取られ、円筒部側に大きな開口部２３と円錐台側に小さな開口部２４とを有する中空の円錐部２２によって延ばされた中空の円形基部を有する円筒部２１を含む。円筒部２１の内面は、円錐部２２の内面と連続している。円筒部２１の内径は、フィルタ１が制約されすぎないまたはまったく拘束されないために十分に大きい。円錐の頂点における角度は、好ましくは５０°〜６０°、さらに好ましくは５３°〜５８°、例えば５６°である。円錐は、最小開口部における内径が２ｍｍ〜３ｍｍ、好ましくは２．４〜２．６ｍｍであるように切り取られている。円錐と切取り部のレベルとの組合せは、フィルタの自由端が円錐の頂点に向けられるようにフィルタがアダプタの内側に配置されるとき、およびフィルタがより小さい開口部２４を通ってアダプタ２の内側に押し込められるときに、フィルタの分岐が折り畳まれることを可能にする。その結果、フィルタをカテーテルの内側に押し込むことができる。この目的のために、アダプタ２はまた、アダプタ２をカテーテルに接続するための円錐の切取り部にコネクタ２５を備える。コネクタ２５は、その直径がアダプタ２の最小開口部２４の直径と少なくとも等しい開口部２５１を備える。コネクタの開口部２５１は、カテーテル、特に７Ｆカテーテルの開口内に現れるようになっている。
【図面の簡単な説明】
【００５０】
【図１】図１は、本発明によるフィルタの一例の４分の３の説明図である。
【図２】図１のフィルタの貫通防止保護体の例の拡大図である。
【図３】図１のフィルタの貫通防止保護体の例の拡大図である。
【図４】図１のフィルタの貫通防止保護体の例の拡大図である。
【図５】図１のフィルタの貫通防止保護体の例の拡大図である。
【図６】図６は、図１のフィルタをカテーテル内に挿入するためのアダプタの図である。
【図１】
2021531053.tif 000003
【図２】
2021531053.tif 000004
【図３】
2021531053.tif 000005
【図４】
2021531053.tif 000006
【図５】
2021531053.tif 000007
【図６】
2021531053.tif 000008
【国際調査報告】
2021531053.tif 000009
2021531053.tif 000010
2021531053.tif 000011
2021531053.tif 000012